(57)【要約】  【課題】天板面上の作業領域を徒に縮減してしまうことなく、コード類を好適に配線し得る機能を提供する天板付家具を実現する。  【解決手段】天板２と、天板２を支持する家具本体１とを具備する天板付家具Ｄにおいて、前記天板２の所定の縁辺に、他の家具等に当接させ得る剛性を有する当接部２１と、この当接部２１に隣接し可撓性を有する可撓部２２とを設けた。  【選択図】図６
2006095174.tif 000002
【特許請求の範囲】
【請求項１】
天板と、天板を支持する家具本体とを具備する天板付家具であって、
前記天板の所定の縁辺に、他の家具等に当接させ得る剛性を有する当接部と、この当接部に隣接し可撓性を有する可撓部とを設けていることを特徴とする天板付家具。
【請求項２】
前記天板の所定の縁辺が前記家具本体の対応する側の外縁よりも外方に突き出ている請求項１記載の天板付家具。
【請求項３】
前記当接部の上面が前記天板の上面と略面一である請求項１または２記載の天板付家具。
【請求項４】
前記可撓部の上面が前記天板の上面と略面一である請求項１、２または３記載の天板付家具。
【請求項５】
前記当接部の外縁と前記可撓部の外縁とが略一直線上に連続している請求項１、２、３または４記載の天板付家具。
【請求項６】
前記当接部及び前記可撓部を前記天板の所定の縁辺の中心を通る軸に対称に配している請求項５記載の天板付家具。
【請求項７】
前記可撓部の両側に前記当接部を配している請求項１、２、３、４、５または６記載の天板付家具。
【請求項８】
前記家具本体の前記天板の所定の縁辺に対応する側の外側面にスロット穴を形成している請求項１、２、３、４、５、６または７記載の天板付家具。
【請求項９】
前記可撓部が軟質樹脂を素材に用いてなるものである請求項１、２、３、４、５、６、７または８記載の天板付家具。
【請求項１０】
前記可撓部が前記天板と略同等の厚みの外形をなす請求項１、２、３、４、５、６、７、８または９記載の天板付家具。
【発明の詳細な説明】
【技術分野】
【０００１】
本発明は、デスクに代表される天板付家具に関する。
【背景技術】
【０００２】
オフィスのＯＡ化、ＩＴ化に伴い、オフィスワークにパーソナルコンピュータやその他の情報通信機器を使用することが普遍的となった。近時のオフィス向けのデスクには、それらの機器に接続するコード類（給電コード、通信ケーブル等）を好適に配線するための機能が付帯していることが多い。例えば、下記特許文献には、天板下の空間に連通し、天板上に載置される各種の機器に接続するコード類を挿通し得るような配線口が形成されたデスクが開示されている。このような配線口は、通常、天板の後端部に形成され、平時にはその一部または全部を閉止する蓋体が装着される。
【特許文献１】特開平１０−１１７４１９号公報
【発明の開示】
【発明が解決しようとする課題】
【０００３】
配線口を閉止する蓋体や配線口の周縁を縁取る樹脂部材等は天板面より突出する傾向にあり、故に配線口の存在が天板面上の利用可能な作業領域を狭めてしまうきらいがある。天板の奥行寸法が十分に長大であれば、配線口がデスクの使い勝手を悪化させてしまうことはほとんどないと思われるが、天板の奥行寸法が比較的短小な場合には問題となる。逆説的に述べれば、配線口を形成しながら天板面上の作業領域を十分に確保しようとすると、天板の奥行寸法の長大化、ひいてはデスクの専有面積の増大を招く。
【０００４】
以上に鑑みてなされた本発明は、天板面上の作業領域を徒に縮減してしまうことなく、並びに天板寸法の不必要な長大化を招くことなく、各種の機器に接続するコード類を好適に配線し得る機能を提供する天板付家具を実現しようとするものである。
【課題を解決するための手段】
【０００５】
上述した課題を解決するべく、本発明では、天板と、天板を支持する家具本体とを具備する天板付家具であって、前記天板の所定の縁辺に、他の家具等に当接させ得る剛性を有する当接部と、この当接部に隣接し可撓性を有する可撓部とを設けていることを特徴とする天板付家具を構成した。このようなものであれば、天板の所定の縁辺にある当接部を他の家具、什器または部屋の壁面に突き当てた状態に配置することで、可撓部に覆われた配線口を簡便に構築できる。その上で、徒に天板面上の作業領域が狭められてしまうという問題をも回避できる。
【０００６】
前記天板の所定の縁辺が前記家具本体の対応する側の外縁よりも外方に突き出ている、即ちオーバーハングしているものとすれば、天板上に載置される各種の機器に接続するコード類を、可撓部を介して家具本体よりも外方に引き回すことが可能となる。
【０００７】
前記当接部の上面が前記天板の上面と略面一であるならば、当接部が天板と一体化しているような外観を与え、家具としての格調が保たれる。また、当接部が作業領域の一部となり得ることから、天板面上の作業領域の縮減の問題を回避するためにも有効である。
【０００８】
（撓み変形していない状態での）前記可撓部の上面が前記天板の上面と略面一であるならば、可撓部が天板と一体化しているような外観を与え、家具としての格調が保たれる。同様に、可撓部が作業領域の一部となり得ることから、天板面上の作業領域の縮減の問題を回避するためにも有効である。
【０００９】
仮に、前記当接部の外縁が前記可撓部の外縁よりも外方に突き出ているとすると、当接部を他の家具等に突き当てて当該天板付家具を配置したときに、可撓部と他の家具等との間に被覆されない空隙が生じることとなり、この空隙に筆記用具等の小物類が落下してしまうおそれがあるため好ましくない。逆に、可撓部の外縁が当接部の外縁よりも外方に突き出ているとすると、可撓部を撓み変形させない限り当接部を他の家具等に突き当てることができなくなり、利便性が損なわれる。これらの理由から、前記当接部の外縁と前記可撓部の外縁とは略一直線上に連続していることが望ましい。
【００１０】
前記当接部及び前記可撓部を前記天板の所定の縁辺の中心を通る軸に対称に配しているならば、二基の天板付家具の天板同士を突き合わせて配置したときに、二基分の天板面を一つに合わせた広大な作業領域の中央部位に可撓部で覆われた配線口が構築されることとなる。よって、一般的ないわゆる島型配置のオフィス等において特に好適に用いることができるものとなる。
【００１１】
前記可撓部の両側に前記当接部を配しているならば、可撓部を両側の当接部で保護でき、耐久性向上に寄与する。さらに、他の家具等に当接部を突き当てることで周縁の閉じた配線口が構築され、一旦配線したコード類が不用意に配線口の外に脱出してしまうようなことが回避される。
【００１２】
前記家具本体の前記天板の所定の縁辺に対応する側の外側面にスロット穴を形成しているならば、種々のオプション品を取り付けるために使用されるクランプ装置の爪の一方をこのスロット穴に挿入し、他方を天板面に設置して挟み付けることが可能となる。
【００１３】
しかして、前記可撓部は、軟質樹脂を素材に用いてなるものとすることが好ましい。
【００１４】
加えて、前記可撓部が前記天板と略同等の厚みの外形をなすものであれば、可撓部が完全に天板の一部となっているかのような外観を与え、家具としての格調がさらに高められる。
【発明の効果】
【００１５】
本発明によれば、天板面上の作業領域を徒に縮減してしまうことなく、並びに天板寸法の不必要な長大化を招くことなく、コード類を好適に配線し得る機能を提供する天板付家具が実現される。
【発明を実施するための最良の形態】
【００１６】
以下、本発明の一実施形態を、図面を参照して説明する。なお、説明中、天板付家具たるデスクＤを使用するユーザが着座する使用端側を前方、反使用端側を後方と定義している。
【００１７】
本実施形態の天板付家具たるデスクＤ（または、袖机）を、図１、図２に示す。このデスクＤは、オフィス等において用いられるものであって、天板２と、天板２を下方より支持する家具本体１とを具備する。
【００１８】
家具本体１は、一方側にあって天板２を支持する脚側板１１と、他方側にあって天板２を支持する袖構造体１２と、後方にあって下肢空間を隠蔽する幕板１３とを主要な構成要素とする。
【００１９】
袖構造体１２は、天板２に一体的に結合した筐体１２１を主体とする。筐体１２１は、一または複数の抽斗１２２を収容し得る内部空間を内包する。筐体１２１の前面は開口し、内部空間と外部とを連通しているが、側方及び後方からは遮蔽している。抽斗１２２は、鏡板の後背に収納空間を包囲する底壁、側壁及び後壁を配設したもので、筐体１２１内に押し入れればその鏡板のみが正面に現れる状態となり、筐体１２１より引き出せば上方に開放した収納空間を露出させることができる。但し、家具本体１がこのような袖構造体１２を備えているとは限られず、両側に脚側板１１を配して天板２を支持するものとしても構わない。
【００２０】
幕板１３は、脚側板１１及び袖構造体１２の対向面間に固定してあるもので、その上端面を天板２下面よりも低い位置に設定して天板２と幕板１３との間に間隙を設けている。この間隙を利用すれば、天板２上に載置される各種の機器に接続するコード類を（後述する天板２の可撓部２２を介して）下肢空間に導き入れることが可能である。
【００２１】
脚側板１１の後面、袖構造体１２の後面及び幕板１３の後面は概ね面一となっており、家具本体１の後縁を規定している。因みに、本実施形態では、家具本体１の一部をなす袖構造体１２の筐体１２１の後面に一または複数のスロット穴１２３を穿っている。スロット穴１２３は、例えば、背面視幅方向に拡張する方形状をなす長穴である。電話台やメモ台、タスクライト等のオプション品を支持する既知のクランプ装置（図示せず）を取り付ける際には、クランプ装置の爪の一方をこのスロット穴１２３に挿入し、他方を天板２面に設置して、両方の爪で挟みつければよい。勿論、天板２と幕板１３との間の間隙を利用して、クランプ装置を取り付けることも可能である。
【００２２】
天板２は、平面視略矩形状の外形をなしており、その後端を家具本体１の後縁よりも後方に突き出させてある。図３等に示すように、本実施形態では、この天板２の後端縁に、当接部２１と、可撓部２２とを設けている。
【００２３】
当接部２１は、他のデスク等の家具、パーティション等の什器または部屋の壁面に当接させ得る剛性を有する部位である。図示例では、天板本体２３の後端の一部を幅方向に沿って切り欠き、この切り欠いた部位に隣接している部位、即ち切り欠いていない部位を当接部２１としている。つまり、天板本体２３と当接部２１とは一体的に連続しているが、両者を別個の部材とすることを妨げない。当接部２１は、天板２における両側端部に設けており、かつ天板２の幅方向の中心軸Ｃに対称に配置してある。当接部２１の上面は、天板本体２３の上面と略面一とする。
【００２４】
可撓部２２は、当接部２１に隣接し、可撓性を有する部位である。図示例では、天板本体２３の後端の切り欠いた部位に、撓み変形容易な軟質樹脂を用いて作製した遮蔽部材を装着して可撓部２２を構成している。可撓部２２の具体的態様を、図４に示す。遮蔽部材２２は、天板２の幅方向に沿って延伸する側断面視中空な射出成形品で、例えば前方部位に比較的硬い樹脂を用い、その他の部位に比較的軟らかい樹脂を用いて二色成形してなる。遮蔽部材２２の前方部位には、互いに相寄るように上下に突出する突条２２１を形成してある。翻って、天板本体２３の後端を切り欠いた部位の後向面には、遮蔽部材２２を装着するためのブラケット２４を、ボルト等を使用して予め固定しておく。そして、遮蔽部材２２に形成した突条２２１をブラケット２４の上下端に係合させるようにして、遮蔽部材２２をブラケット２４に嵌め込み装着する。撓み変形していない状態で、可撓部２２の上面即ち遮蔽部材の上面は、天板本体２３の上面と略面一となる。なお、遮蔽部材２２の上面は平滑面であるとは限られない。図示例では、遮蔽部材２２の上面に凹溝２２２が彫られている。遮蔽部材２２の下面は水平方向に対して傾斜しており、遮蔽部材２２の外形の厚みは後方に向かうにつれて徐々に薄くなる。これにより、上から押された場合に遮蔽部材２２がスムーズに下方に撓み変形する。但し、図５に示すように、遮蔽部材２２が、天板本体２３及び当接部２１と同程度の厚みを有する直方体状の外形をなすことを妨げない。
【００２５】
なお、当接部２１の後縁と可撓部２２の後縁とは略一直線上に連続して天板２の後端縁を形作っている。
【００２６】
このデスクＤは、天板２の後端縁にある当接部２１を他のデスク等の家具、パーティション等の什器、または部屋の壁面に突き当てた状態に配置することで可撓部２２に覆われた配線口を簡便に構築できるという特長を有する。とりわけ、図６に示すように、同種のデスクＤの天板２の後端縁同士を突き合わせた状態に配置すれば、周縁の閉じた配線口を天板２面に現出させることができる。天板本体２３、当接部２１及び可撓部２２の各々の上面は略面一であり、総体として広大な作業領域を提供し得る。従って、天板２の奥行寸法を多少短めに設定したとしても十分な作業領域が担保され、ユーザの使い勝手は損なわれない。また、天板２の後端縁が家具本体１の後縁よりも後方に突き出ていることから、家具本体１の背後にある空間、即ち両デスクＤの幕板１３間に位置する領域を配線空間して利用することができる。当該領域は側方に開放しているため、コード類を幅方向に沿って容易に配線することもできる。さらに、このときには、着座して作業を行うユーザの下肢と配線したコード類とが干渉し合うことを回避できる。
【００２７】
本実施形態によれば、天板２と、天板２を支持する家具本体１とを具備する天板付家具たるデスクＤであって、前記天板２の所定の縁辺即ち後端縁に、他の家具等に当接させ得る剛性を有する当接部２１と、この当接部２１に隣接し可撓性を有する可撓部２２とを設けているデスクＤを構成したため、天板２の後端縁にある当接部２１を他の家具、什器または部屋の壁面に突き当てた状態に配置することで、可撓部２２に覆われた配線口を簡便に構築できる。その上で、徒に天板２面上の作業領域が狭められてしまうという問題をも回避できる。
【００２８】
前記天板２の所定の縁辺が、前記家具本体１の対応する側の外縁即ち後縁よりも外方即ち後方に突き出ているため、天板２上に載置される各種の機器に接続するコード類を、可撓部２２を介して家具本体１よりも後方に引き回すことが可能となる。
【００２９】
前記当接部２１の上面が前記天板２の上面と略面一であるため、当接部２１が天板２と一体化しているような外観を与え、家具としての格調が保たれる。また、当接部２１が作業領域の一部となり得ることから、天板２面上の作業領域の縮減の問題を有効に回避できる。
【００３０】
撓み変形していない状態での前記可撓部２２の上面が前記天板２の上面と略面一であるため、可撓部２２が天板２と一体化しているような外観を与え、家具としての格調が保たれる。同様に、可撓部２２が作業領域の一部となり得ることから、天板２面上の作業領域の縮減の問題を有効に回避できる。
【００３１】
前記当接部２１の外縁即ち後縁と、前記可撓部２２の外縁即ち後縁とが略一直線上に連続しているため、当接部２１を他の家具等に突き当てて当該デスクＤを配置したときに可撓部２２と他の家具等との間に被覆されない空隙が生じたり、可撓部２２を撓み変形させないと当接部２１を他の家具等に突き当てることができなかったりというような問題が生起しない。
【００３２】
前記当接部２１及び前記可撓部２２を前記天板２の後端縁の中心を通る軸、即ち幅方向の中心軸Ｃに対称に配しているならば、二基のデスクＤの天板２同士を突き合わせて配置したときに、二基分の天板２面を一つに合わせた広大な作業領域の中央部位に可撓部２２で覆われた配線口が構築されることとなる。よって、一般的な島型配置のオフィス等において特に好適に用いることができるものとなる。
【００３３】
前記可撓部２２の両側に前記当接部２１を配しているため、可撓部２２を両側の当接部２１で保護でき、耐久性向上に寄与する。さらに、他の家具等に当接部２１を突き当てることで周縁の閉じた配線口が構築され、一旦配線したコード類が不用意に配線口の外に脱出してしまうようなことも回避される。
【００３４】
前記家具本体１の前記天板２の所定の縁辺に対応する側の外側面（袖構造体１２の後面）にスロット穴１２３を形成しているため、種々のオプション品を取り付けるために使用されるクランプ装置の爪の一方をこのスロット穴１２３に挿入し、他方を天板２面に設置して挟み付けることが可能となる。
【００３５】
前記可撓部２２の素材として軟質樹脂を用いているため、可撓部２２を構成する遮蔽部材の製造が容易となる。
【００３６】
図６に示しているように、前記可撓部２２が前記天板２と略同等の厚みの外形をなすものであれば、可撓部２２が完全に天板２の一部となっているかのような外観を与え、家具としての格調がさらに高められる。
【００３７】
なお、本発明は以上に詳述した実施形態に限られるものではない。特に、当接部２１及び可撓部２２を、天板２の後端縁以外の部位に設けることが考えられる。例えば、天板２の左側端縁及び／または右側端縁に当接部２１及び可撓部２２を設けることができる。このときには、天板２の側端縁が、家具本体１の側縁（側面）よりも外側方に突き出ていることが好ましい。
【００３８】
また、可撓部２２、言い換えるならば遮蔽部材の素材は軟質樹脂には限られない。例えば、遮蔽部材２２が、刷毛のようなものであっても構わない。
【００３９】
その他各部の具体的構成は上記実施形態に限られるものではなく、本発明の趣旨を逸脱しない範囲で種々変形が可能である。
【図面の簡単な説明】
【００４０】
【図１】本発明の一実施形態における天板付家具を示す斜視図。
【図２】同斜視図。
【図３】同実施形態における天板を示す平面図。
【図４】同実施形態における天板を示す要部側断面図。
【図５】変形例の一を示す要部側断面図。
【図６】同実施形態の天板付家具の使用例を示す斜視図。
【符号の説明】
【００４１】
Ｄ…天板付家具（デスク）
１…家具本体
２…天板
２１…当接部
２２…可撓部
【図１】
2006095174.tif 000003
【図２】
2006095174.tif 000004
【図３】
2006095174.tif 000005
【図４】
2006095174.tif 000006
【図５】
2006095174.tif 000007
【図６】
2006095174.tif 000008